(57)【要約】【課題】  チャイルドシートなどに乗せられた、乳幼児の頭部を、より確実に安定させると共に、こうした器具を、簡易な仕組みで実現する。【解決手段】  頭部安定器具１０を、２つのクッション１２ａ，１２ｂと、その２つを連結するゴム紐１４とにより構成する。自動車の座席２３のヘッドレスト２４にゴム紐１４を引っ掛けて、チャイルドシート２０に乗せられた乳幼児３０の頭部の、左右両側にクッション１２ａ，１２ｂを配置することにより、乳幼児３０の頭部を安定させると共に、チャイルドシート２０が取り付けられた、自動車などの振動を、クッション１２ａ，１２ｂで吸収する。又、クッション１２ａ，１２ｂが自動車などの振動に伴って、ずれてしまいそうになった時には、ゴム紐がクッション１２ａ，１２ｂを互いに引張り合うので、ずれるのを防止する。【選択図】  図５
2005131340.tif 000002
【特許請求の範囲】
【請求項１】
座部と背もたれ部とを有するチャイルドシートなどの座席に乗せられた乳幼児の頭部を安定させる頭部安定器具であって、弾性を有する材料により形成された第１クッションと、弾性を有する材料により形成された第２クッションと、前記第１クッションと前記第２クッションとを連結する連結部材と、を備える頭部安定器具。
【請求項２】
前記連結部材は、弾性を有する材料により形成された部材である請求項１記載の頭部安定器具。
【請求項３】
前記連結部材は、該連結部材の長さを調節する長さ調整機構を備える請求項１または２記載の頭部安定器具。
【請求項４】
前記第１クッションおよび／または前記第２クッションは、前記弾性を有する材料と該材料を出し入れ可能に収納する収納部材とから形成される請求項１ないし３いずれか記載の頭部安定器具。
【発明の詳細な説明】
【技術分野】
【０００１】  本発明は、頭部安定器具に関し、詳しくは、座部と背もたれ部とを有するチャイルドシートなどの座席に乗せられた乳幼児の頭部を、安定させる頭部安定器具に関する。
【背景技術】
【０００２】  従来、自動車などの座席に取り付けて使用するチャイルドシートが一般的に知られている。こうしたチャイルドシートを使用することにより事故などが発生した際の乳幼児の安全が図られている。
【発明の開示】
【発明が解決しようとする課題】
【０００３】  しかしながら、こうしたチャイルドシートでは、乳幼児の頭部付近のスペースに比較的余裕があるから、自動車などの振動に伴って乳幼児の頭部が不安定になってしまうことがある。特に、砂利道などの悪路を走行する場合や、乳幼児が寝てしまった時などには、乳幼児の頭部に激しい振動を与えることになり、乳幼児の健康に重大な影響を与えてしまう。【０００４】  本発明の、頭部安定器具は、チャイルドシートなどに乗せられた乳幼児の頭部を、より確実に安定させることを目的の一つとする。又、本発明の、頭部安定器具は、こうした器具を、簡易な仕組みで実現することを目的の一つとする。
【課題を解決するための手段】
【０００５】  本発明の、頭部安定器具は、上述の目的の少なくとも一部を達成するために、以下の手段を採った。【０００６】  本発明の、頭部安定器具は、座部と背もたれ部とを有するチャイルドシートなどの座席に乗せられた乳幼児の頭部を安定させる器具であって、弾性を有する材料により形成された第１クッションと、弾性を有する材料により形成された第２クッションと、前記第１クッションと、前記第２クッションとを連結する部材とを備えることを、要旨とする。
【発明の効果】
【０００７】  この発明の、チャイルドシート用頭部安定器具では、弾性を有する材料により形成された、第１クッション及び第２クッションを連結部材を用いて連結している。したがって、チャイルドシートに乗せられた乳幼児の、頭部の左右両側などに、第１クッションと第２クッションとを、それぞれ配置することにより、乳幼児の頭部を、安定させることができる。しかも、第１クッションと第２クッションとを、連結部材を用いて連結しているから、第１クッションや第２クッションが、配置した位置から、はずれてしまうのを抑制することができる。ここで「弾性を有する材料」として、一般的なクッションに使用される材料（例えば、パンヤやウレタンフォームなど）や家庭用のタオルなどを挙げることができる。即ち、一般的な材料や、身の回りの品物を用いて、より簡易な仕組みの器具とすることが、できるのである。【０００８】  こうした本発明の、頭部安定器具において、前記連結部材は、弾性を有する材料により形成された部材であるものとすることもできる。こうすれば、連結部材が伸縮可能となるから、チャイルドシートなどの座席のサイズや、乳幼児の大きさの変動に、対応することができる。ここで「弾性を有する材料」としては、ゴムなどを挙げることができる。【０００９】  また、本発明の頭部安定器具において、前記連結部材は、該連結部材の長さを調節する長さ調整機構を備えるものとすることもできる。こうすれば、チャイルドシートなどの座席のサイズや乳幼児の大きさのより大きな変動にも対応することができる。【００１０】  さらに、前記第１クッションおよび／または前記第２クッションは、前記弾性を有する材料と該材料を出し入れ可能に収納する収納部材とから形成されるものとすることもできる。こうすれば、収納部材に収納する材料を出し入れすることができるから、第１クッションや第２クッションの大きさを容易に変更することができる。
【発明を実施するための最良の形態】
【００１１】  次に、本発明を実施するための、最良の形態を実施例を用いて説明する。
【実施例】
【００１２】  図１は、本発明の１実施形態としての、頭部安定器具１０の構成の概略を示す構成図である。実施例の頭部安定器具１０は、図示するように、２つのクッション１２ａ，１２ｂと、このクッション１２ａ，１２ｂを連結するゴム紐１４と、ゴム紐１４の長さを調節する調節器具１３とにより、構成されている。【００１３】  クッション１２ａ，１２ｂは、図示するように、円筒状となるように形成されており、内部に一般的なタオルを収納すると共に、その表面もタオル地の素材でカバーされている。また、クッション１２ａ，１２ｂの側面には、内部に収納されたタオルを出し入れするための取出し口１５が設けられており、この取出し口１５から内部にタオルを追加したり収納されたタオルを取り出したりすることができる。ゴム紐１４は、図示するように、その両端がクッション１２ａ，１２ｂの、円筒の上面部の中心付近に取り付けられている。なお、クッション１２ａ，１２ｂは、弾性を有する材料であれば、その他の種々の材料を用いて形成することができ、その形状は、円筒状でなくても構わない。【００１４】  図２は、調節器具１３によりゴム紐１４の長さを調節した様子の一例を示す説明図である。図示するように、調節器具１３を貫通する穴にゴム紐１４を束ねて通し、このゴム紐１４の束ねた部分の長さを調節すると共に調節器具１３の穴を通過する部分をバネによる反発力で固定することにより、クッション１２ａからクッション１２ｂまでの長さを調節するのである。なお、ゴム紐１４の長さを調節することができれば、その他の調節機構を採用しても構わないのは勿論である。【００１５】  次に、こうして構成された実施例の、頭部安定器具１０の使用方法について説明する。図３は、実施例の頭部安定器具１０を使用した様子の第１の例を示す説明図である。この例は、チャイルドシート２０のヘッドレスト２２を用いて頭部安定器具１０を使用する場合の例である。図示するように、チャイルドシート２０に乗せられた乳幼児３０の頭部の左右両側にクッション１２ａ，１２ｂを配置している。図４は、この場合の頭部安定器具１０の取り付け方法を示す説明図である。図示するように、チャイルドシート２０のヘッドレスト２２の取り付け部分にゴム紐１４を引っ掛けてクッション１２ａ，１２ｂを背面へ回し（図４（ａ））、このクッション１２ａ，１２ｂをヘッドレスト２２の上側を介して前側へと配置するのである（図４（ｂ））。このように使用すると、クッション１２ａ，１２ｂにより乳幼児３０の頭部を安定させると共にチャイルドシート２０が取り付けられた自動車などの振動をクッション１２ａ，１２ｂで吸収する。また、クッション１２ａ，１２ｂが自動車などの振動に伴ってずれてしまいそうになったときには、ゴム紐１４がクッション１２ａ，１２ｂを互いに引っ張ると共にヘッドレスト２２に巻きついているから、ずれてしまうのを防止する。【００１６】  図５は、実施例の頭部安定器具１０を使用した様子の第２の例を示す説明図である。この例は、自動車の座席２３のヘッドレスト２４を用いて頭部安定器具１０を使用する場合の例である。図示するように、自動車の座席２３のヘッドレスト２４にゴム紐１４を引っ掛けて使用している。この��合、前述したチャイルドシート２０に乗せられた乳幼児３０に使用する場合と比較してゴム紐１４に必要な長さは異なるものとなるが、ゴム紐１４は伸縮可能なゴムであると共に、ゴム紐１４の長さを調節する調節器具１３が付いているから、対応することができるのである。このことは、チャイルドシート２０のサイズや自動車の座席２３のサイズ、乳幼児３０の大きさなどが、異なる場合にも、対応することができることを、示している。【００１７】  以上説明した実施例の、頭部安定器具１０によれば、クッション１２ａ，１２ｂを、チャイルドシート２０に乗せられた、乳幼児３０の頭部の左右両側に、配置することにより、乳幼児３０の頭部を、安定させると共に、頭部への振動を、防止することができる。又、クッション１２ａ，１２ｂをゴム紐１４を用いて、連結しているから、クッション１２ａ，１２ｂが、ずれてしまうのを防止することができる。更に、こうした器具を、一般的な材料や、身の回りの品物により、実現することができる。【００１８】  また、実施例の頭部安定器具１０によれば、チャイルドシート２０の側面は、湾曲になっているため、円筒状に形成されたクッション１２ａ，１２ｂと、頭部が馴染み易いという効果もある。【００１９】  さらに、クッション１２ａ，１２ｂの内部にタオルを収納しているから、乳幼児３０の大きさに合わせて内部の、タオルの量を加減できる。また、内部、表面共に、タオルを使用しているから、手軽に洗うことができ、乳幼児に、清潔さと、快適さを常に与えることができる。【００２０】  実施例の、頭部安定器具１０では、ゴム紐１４を用いて、クッション１２ａ，１２ｂを連結するものとしたが、連結する部材は、ゴム紐１４以外の、その他の部材を用いてもよい。必ずしもゴムなどの弾性を有する部材を用いる必要もない。【００２１】  実施例の、頭部安定器具１０では、ゴム紐１４の長さを調節する調節器具１３を備えるものとしたが、必ずしも、こうした調節器具１３を備えなくてもよい。【００２２】  実施例の、頭部安定器具１０では、クッション１２ａ，１２ｂの側面に、内部に収納されたタオルを出し入れするための取出し口１５を設けたが、こうした取出し口１５を設けなくても構わない。【００２３】  実施例では、チャイルドシート２０に乗せられた乳幼児３０の頭部を安定させる場合について説明したが、チャイルドシート２０以外の種々の座席（例えば、ベビーカーなど）に乗せられた乳幼児の頭部を安定させるために使用することができるのは勿論である。また、乳幼児でなくても成人の頭部を安定させるために使用することもできる。【００２４】  以上、本発明を実施するための最良の形態について、実施例を用いて説明したが、本発明は、こうした実施例に、何等限定されるものではなく、本発明の要旨を、逸脱しない範囲内において、種々なる形態で、実施得ることは勿論である。
【図面の簡単な説明】
【００２５】
【図１】  頭部安定器具１０の構成の概略を示す構成図。
【図２】  ゴム紐１４の長さを調節した様子の一例を示す説明図。
【図３】  頭部安定器具１０を使用した様子の第１の例を示す説明図。
【図４】  頭部安定器具１０の取り付け方法の一例を示す説明図。
【図５】  頭部安定器具１０を使用した様子の第２の例を示す説明図。
【符号の説明】
【００２６】      １０  頭部安定器具
１２ａ，１２ｂ  クッション
１３  ゴム紐の長さ調節器具
１４  ゴム紐
１５  取出し口
２０  チャイルドシート
２２  チャイルドシートのヘッドレスト
２３  自動車の座席
２４  自動車の座席のヘッドレスト
３０  乳幼児
【図１】
2005131340.tif 000003
【図２】
2005131340.tif 000004
【図３】
2005131340.tif 000005
【図４】
2005131340.tif 000006
【図５】
2005131340.tif 000007
【手続補正書】
【提出日】平成16年11月26日(2004.11.26)
【手続補正１】
【補正対象書類名】特許請求の範囲
【補正対象項目名】全文
【補正方法】変更
【補正の内容】
【特許請求の範囲】
【請求項１】
座部と背もたれ部とを有するチャイルドシートなどの座席に乗せられた乳幼児の頭部を安定させる頭部安定器具であって、
弾性を有する材料により形成された第１クッションと、弾性を有する材料により形成された第２クッションと、前記第１クッションと前記第２クッションとを連結する連結紐と、を備え、
前記連結紐は、該連結紐を前記背もたれ部の上方の所定部位に引っ掛けて前記第１クッションと前記第２クッションとを該背もたれ部の前側に垂らしたときに該第１クッションと該第２クッションとが前記座席に乗せられた乳幼児の頭部を基準とした所定位置となるような長さで形成されてなる、
頭部安定器具。
【請求項２】
前記連結紐は、弾性を有する材料により形成されてなる請求項１記載の頭部安定器具。
【請求項３】
前記連結紐は、該連結紐の長さを調節する長さ調整機構を備える請求項１または２記載の頭部安定器具。
【請求項４】
前記第１クッションおよび／または前記第２クッションは、前記弾性を有する材料と該材料を出し入れ可能に収納する収納部材とから形成される請求項１ないし３いずれか記載の頭部安定器具。